(57)【特許請求の範囲】
【請求項１】
血圧測定機能付きの手摺部材と天井に配設された動き検知センサーを設けた動き検知ユニットとを備えた浴室ユニットであって、動き検知センサーで入浴者の動きが一定時間ないと判断され、且つ、血圧測定機能付きの手摺部材で測定された血圧が異常値である場合に、検知ユニットは同入浴者が危険状態であると判断してこれを浴室外に発報するものであり、血圧測定機能付きの手摺部材を、棒状の手摺本体と、指が入る程度の中空部を有し手摺本体上部に手摺本体と並行に設けられ手摺本体よりも充分に短い筒体とで形成し、この筒体に入浴者の指が挿入されることで同筒体によって入浴者の血圧が測定されるようになしたことを特徴とする浴室ユニット。
【発明の詳細な説明】
【０００１】
【発明の属する技術分野】
本発明は、浴槽と手摺部材とを備えた浴室ユニットに関するものである。
【０００２】
【従来の技術】
従来から、家の中で起きる事故として入浴中の事故がよく指摘されていた。入浴中における事故は無視できない程度の頻度で発生しており、その対策が社会的に求められていたのである。特に高齢者などは入浴に伴う血流量の変化によって、意識不明に陥ったり、心臓が停止したりしてしまうこともあり、入浴について充分な注意が必要とされていた。
【０００３】
一方で入浴そのものは体の新陳代謝を良くしたり、気分的に気持ちが良いなどの長所もあり、危険だからという理由だけで入浴をやめてしまうことは、日本の文化からして難しいものがあった。
【０００４】
そこで、このような社会的ニーズに応える為、各企業から様々なアイデアが商品化されてきた。
【０００５】
例えば、図１０に示すように、浴室ユニットの浴槽（１）に心拍数測定機能を付けたものが存在していた。このものは浴槽（１）のエプロンと底面、及び壁に取り付けた手摺部材（２）に電極を設けることで入浴者の心拍数を測定するようにしていた。
【０００６】
これにより、入浴者の心拍数から入浴者の健康状態を簡単に把握することができるようになった。心拍数の増減によって入浴者の健康状態を把握する必要がある。
【０００７】
【発明が解決しようとする課題】
しかしながら、上記従来の技術においては、心拍数だけで入浴者の健康状態を把握しようとする為、正常反応による心拍数の増減なのか否かの判断が難しく、その精度に少なからず問題が生じていた。例えば、浴槽（１）に浸かって体が暖まってきた場合には一般的に心拍数が増加する。又、後段で説明するように心拍数に変化がないからといって必ずしも安全圏内にいるというものではなく、その状況によっては危険状態と捕らえる方が好ましい場合もある。
【０００８】
本発明は、上記事由に鑑みてなしたもので、その目的とするところは、入浴者の健康状態を確実に把握することのできる浴室ユニットを提供することにある。
【０００９】
【課題を解決するための手段】
上記目的を達成するために、本発明の浴室ユニットにあっては、浴槽の内面に心拍音を拾う心拍音センサとノイズを拾う基準信号センサとが設けられてなる心拍数測定機能付きの浴槽と、浴槽近傍に配設され入浴者が浴槽に浸かりながら握ることのできる血圧測定機能付きの手摺部材と、を備えても良い。
【００１０】
これにより、入浴者の健康状態を確実に把握することができる。即ち、浴室ユニットが心拍数測定機能付きの浴槽と、血圧測定機能付きの手摺部材とを備えているので、これらが測定した測定値から入浴者の健康状態を把握できる。従来は、従来の技術で説明したように、心拍数によって健康状態を把握するにとどまっているのに対し、この場合は、心拍数に加えて血圧を測定できるようにしており、確実性が増している。
【００１１】
一般に血液の流れは血圧と心拍数によって決定される。即ち、体表面への刺激により抹消血管が収縮して血圧が高くなると、心拍数を低下させて血液の流れを調整する。又、これとは逆に温熱効果によって抹消血管が拡大し血圧が下がると、血流量確保の為に脈拍数が増加する。このように、血液の流れは血圧と脈拍数とで調整されており、上記の場合は、その２つの値を測定することで、入浴者の健康状態を確実に把握することができる。
【００１２】
血圧と心拍数との関係は従来から知られていたのであるが、その理論を浴室ユニットに組み込み、更には血圧測定装置をただ装備するのでなく手摺に組み込んだ点において優れている。手摺は浴室ユニット内において、特別に違和感あるものではなく今日においては自然な備品となっている。又、手を自然と向ける備品でもある。このような手摺の特徴を活用し、浴室ユニット内に血圧測定機能を盛り込んだ血圧測定機能付きの手摺部材を構成した点において優れているといえる。
【００１３】
更に、本発明の浴室ユニットにあっては、血圧測定機能付きの手摺部材を、棒状の手摺本体と、指が入る程度の中空部を有し手摺本体上部に手摺本体と並行に設けられ手摺本体よりも充分に短い筒体とで形成し、この筒体に入浴者の指が挿入されることで入浴者の血圧が測定されるようにしても良い。
【００１４】
この場合、入浴者の血圧を簡単に測定することができる。即ち、手摺本体上部に筒体を設けているので、手摺本体を握るついでに手軽に筒体の中空部に指を挿入することができる。又、筒体は、手摺本体よりも充分に短いので特別に邪魔になることがない。
【００１５】
又、本発明の健康状態検知方法にあっては、上記浴室ユニットに入室した入浴者の健康状態を、血圧測定機能付きの手摺部材と心拍数測定機能付きの浴槽とを用いて検知しても良い。
【００１６】
この場合、入浴者の健康状態を確実に把握することができる。即ち、血圧値と心拍数で健康状態を把握するので、確実なものとなる。
【００１７】
又、本発明の健康状態検知方法にあっては、血圧測定機能付きの手摺部材が測定した血圧値が上昇傾向を示しているにもかかわらず、心拍数測定機能付きの浴槽が測定した心拍数が所定の値以上を示す場合を危険状態として検知しても良い。
【００１８】
この場合、血圧が上昇するシーンにおいて、入浴者の健康状態を確実に把握することができる。例えば、浴槽に浸かった直後は体表面の急激な温度変化で交換神経が興奮し抹消血管が収縮する。これに伴って血圧は急激に上昇する。正常な状態では、血圧の上昇に対応する為に心拍数を下げて血液の流れを調整する。この時、心拍数が減少することなく所定の値を上回る場合には危険状態とみることができる。このように、血圧値の上向きの変化と心拍数の測定値によって、入浴者の健康状態を検知することができる。
【００１９】
又、本発明の健康状態検知方法にあっては、血圧測定機能付きの手摺部材が測定した血圧値が降下傾向を示しているにもかかわらず、心拍数測定機能付きの浴槽が測定した心拍数が所定の値以下を示す場合を危険状態として検知しても良い。
【００２０】
この場合、血圧が降下するシーンにおいて、入浴者の健康状態を確実に把握することができる。例えば、浴槽に浸かってしばらく経った時には、温熱効果により脳の酸素消費量は増加すると共に抹消血管が拡大し血圧が低下する。すると脳に送られる血液量の低下を補う為に心拍数が増加する。この時、心拍数が増加することなく所定の値を下回る場合には危険状態とみることができる。このように、血圧値の下向きの変化と心拍数の測定値によって、入浴者の健康状態を検知することができる。
【００２１】
そして、本発明の浴室ユニットにあっては、請求項１に記載したように、血圧測定機能付きの手摺部材と天井に配設された動き検知センサーを設けた動き検知ユニットとを用いて検知する。そして、動き検知センサーで入浴者の動きが一定時間ないと判断され、且つ、血圧測定機能付きの手摺部材で測定された血圧が異常値である場合に、検知ユニットは同入浴者が危険状態であると判断してこれを浴室外に発報することができる。更に、本発明の浴室ユニットにあっては、請求項１に記載したように、血圧測定機能付きの手摺部材を、棒状の手摺本体と、指が入る程度の中空部を有し手摺本体上部に手摺本体と並行に設けられ手摺本体よりも充分に短い筒体とで形成し、この筒体に入浴者の指が挿入されることで同筒体によって入浴者の血圧が測定されるようになしている。この場合、入浴者の血圧を簡単に測定することができる。即ち、手摺本体上部に筒体を設けているので、手摺本体を握るついでに手軽に筒体の中空部に指を挿入することができる。又、筒体は、手摺本体よりも充分に短いので特別に邪魔になることがない。
【００２２】
又、本発明の浴室ユニットにあっては、血圧測定機能付きの手摺部材の発信機と天井に配設された動き検知センサーを設けた動き検知ユニットの受信器間をワイヤレスで接続することができる。この場合、浴室内の電線や通信線の配線が不要となり、しかも漏電の危険も少なく取扱いが安全である。
【００２３】
【発明の実施の形態】
図１乃至６は、本発明の参考例となる浴室ユニット及びそれを用いた健康状態検知方法を示す説明図、図７乃至９は、本発明の請求項１に対応する一実施の形態の浴室ユニットを示す説明図である。
【００２４】
本願においては、初めに浴室ユニットの説明を行い、後段で健康状態検知方法についての説明を行う。
【００２５】
［浴室ユニット］
【００２６】
本発明の参考例となる浴室ユニットは、心拍数測定機能付きの浴槽（１）と、浴槽（１）近傍に配設され入浴者が浴槽（１）に浸かりながら握ることのできる血圧測定機能付きの手摺部材（２）と、を備えている。
【００２７】
又、該参考例となる浴室ユニットは、血圧測定機能付きの手摺部材（２）を、棒状の手摺本体（３）と、指が入る程度の中空部を有し手摺本体（３）上部に手摺本体（３）と並行に設けられ手摺本体（３）よりも充分に短い筒体（４）とで形成し、この筒体（４）に入浴者の指が挿入されることで入浴者の血圧が測定されるようにしてもいる。
【００２８】
同参考例となる浴室ユニットは、図１、２に示すように心拍数測定機能付きの浴槽（１）と、血圧測定機能付きの手摺部材（２）とを備えている。
【００２９】
心拍数測定機能付きの浴槽（１）は平面外形が長方系をしており、長手方向に沿って体を沈めるようにしている。浴槽（１）の内面には心拍音を拾う心拍音センサ（５）と、ノイズを拾う基準信号センサ（６）とが設けられている。心拍音センサ（５）は入浴者が浴槽（１）に体を沈めた際に両脇の辺りにくるように設けられている。又、基準信号センサ（６）は入浴者が浴槽（１）内に体を沈めた際に足元にくるように設けられている。心拍音センサ（５）と基準信号センサ（６）は各々制御ボックス（７）内に向けて配線が施されている。心拍音センサ（５）は人体からの電流変化量を電極によって拾い出す方式によって心拍音を検知している。
【００３０】
制御ボックス（７）は心拍音を心拍数に変換する機能を有する。制御ボックス（７）内で変換された心拍数は浴室ユニット内に設けられた室内表示板（８）と、台所やリビング等の浴室ユニット外に設けられた室外表示板（９）とに表示される。又、室内表示板（８）、室外表示板（９）はリモコンでオン・オフを操作できるようにしても良い。
【００３１】
血圧測定機能付きの手摺部材（２）は、図３乃至６に示すように略水平に配設される棒状の手摺本体（３）と血圧を測定する筒体（４）とで主要部が形成される。手摺本体（３）と筒体（４）との固定は固定具（１０）を介して行われる。
筒体（４）は、図４に示すように周壁内部にリード線（１１）を備えており、このリード線（１１）は固定具（１０）に設けた貫通孔（１２）を通って手摺本体（３）の内部に配線される。筒体（４）の中空部は指が入る程度の大きさとする。又、筒体（４）は周壁に凹所（１３）を有しており、この凹所（１３）は後段で説明する固定具（１０）の上側突起部（１４）と嵌合することで、筒体（４）と固定具（１０）との接合を確実なものとしている。
【００３２】
固定具（１０）は、図５に示すように筒体（４）を受ける受部（１５）と、手摺本体（３）を包み込む保持部（１６）とで構成されている。
【００３３】
全体の断面形状は、算用数字の８の字の上側の円形の中程より上側を横方向を切断線として取り除いた形状となっている。上側の円形の残りで受部（１５）を形成し、下側の円形で保持部（１６）を形成している。
【００３４】
受部（１５）と保持部（１６）との間には縦断する貫通孔（１２）が設けられてもおり、この貫通孔（１２）に前述した筒体（４）のリード線（１１）が通される。この貫通孔（１２）の周辺は上方に突出した上側突起部（１４）と、下方に突出した下側突起部（１７）とを形成してもいる。
【００３５】
上側突起部（１４）は筒体（４）に設けた凹所（１３）と嵌合し、下側突起部（１７）は手摺本体（３）に設けた嵌合穴（１８）に嵌合する。上側突起部（１４）は筒体（４）の回転を、下側突起部（１７）は手摺本体（３）の回転を防止し、確実な嵌合固定を実現するのに役立っている。
【００３６】
又、保持部（１６）は貫通孔（１２）の反対側にスリット（１９）を備えている。これにより、保持部（１６）を手摺本体（３）に嵌合させる際には、スリット（１９）を広げて嵌合させることができる。又、このスリット（１９）は相じゃくりが施されている。
【００３７】
手摺本体（３）は中空構造をしており、中空部内に筒体（４）から延びてくるリード線（１１）が配線され、手摺本体（３）の端部から浴室ユニットの壁面の裏側に到達するようにしている。このように血圧測定機能付きの手摺部材（２）は、その内部にリード線（１１）を配線するので防水が確保されている。防水手段として固定具（１０）と手摺本体（３）との間、固定具（１０）と筒体（４）との間等に防水パッキンを施しても良い。
【００３８】
又、手摺本体（３）に設ける嵌合穴（１８）の位置を変えることで、筒体（４）の固定場所を変えることができる。
【００３９】
又、浴室ユニットはユニットバスに限らない。例えば在来工法により施工される浴室としても良い。
【００４０】
以下、図７乃至図９の本発明の一実施例に基づいて、説明する。
【００４１】
図７は、浴室ユニットの浴槽（１）の上方の壁際に血圧測定機能付きの手摺部材（２）を配設し、天井側に配設された動き検知センサー（１９）を設けた動き検知ユニット（２０）とを用いて動き検知センサー（１９）で入浴者の動きがある一定時間ないと判断されたときに、且つ浴槽（１）に浸かっている人の血圧が、異常値の場合に危険状態と判断し、浴室外にベル等で発報することができるようにしたものである。図８は、血圧測定機能付きの手摺部材（２）の上部に指挿入口（２１）を設けて、下部に発信器（２２）を内臓するものである。そして、この指挿入口（２１）に指を挿入して血圧を測定することができる。このとき、天井側に設けられている動き検知ユニット（２０）の動き検知センサー（１９）により、常に入浴者の動作を監視している。又、血圧測定機能付きの手摺部材（２）の発信機（２２）と天井に配設された動き検知センサー（１９）を設けた動き検知ユニット（２０）の受信器（２３）間をワイヤレスで接続するものである。このように、血圧測定機能付きの手摺部材（２）の発信機（２２）と検知ユニット（２０）の受信器（２３）間をワイヤレスで接続することにより、浴室内の電線や通信線の配線が不要となり、しかも漏電の危険も少なく取扱いが安全である。
【００４２】
以上説明した浴室ユニットによると、入浴者の健康状態を確実に把握することができる。即ち、浴室ユニットが心拍数測定機能付きの浴槽（１）と、血圧測定機能付きの手摺部材（２）とを備えていると、これらが測定した測定値から入浴者の健康状態を把握できる。従来の技術で説明したように、心拍数によって健康状態を把握するにとどまっているのに対し、心拍数に加えて血圧を測定できるようにしており、確実性が増している。
【００４３】
一般に血液の流れは血圧と心拍数によって決定される。即ち、体表面への刺激により抹消血管が収縮して血圧が高くなると、心拍数を低下させて血液の流れを調整する。又、これとは逆に温熱効果によって抹消血管が拡大し血圧が下がると、血流量確保の為に脈拍数が増加する。このように、血液の流れは血圧と脈拍数とで調整されており、その２つの値を測定することで、入浴者の健康状態を確実に把握することができる。
【００４４】
血圧と心拍数との関係は従来から知られていたのであるが、その理論を浴室ユニットに組み込み、更には血圧測定装置をただ装備するのでなく手摺に組み込んだ点において優れている。手摺は浴室ユニット内において、特別に違和感あるものではなく今日においては自然な備品となっている。又、手を自然と向ける備品でもある。このような手摺の特徴を活用し、浴室ユニット内に血圧測定機能を盛り込んだ血圧測定機能付きの手摺部材（２）を構成した点において優れているといえる。
【００４５】
又、入浴者の血圧を簡単に測定することができる。即ち、手摺本体（３）上部に筒体（４）を設けているので、手摺本体（３）を握るついでに手軽に筒体（４）の中空部に指を挿入することができる。又、筒体（４）は、手摺本体（３）よりも充分に短いので特別に邪魔になることがない。
【００４６】
［健康状態検知方法］
【００４７】
本発明で参考例となる健康状態検知方法は、上記浴室ユニットに入室した入浴者の健康状態を、血圧測定機能付きの手摺部材（２）と心拍数測定機能付きの浴槽（１）とを用いて検知する。
【００４８】
又、該参考例となる健康状態検知方法は、血圧測定機能付きの手摺部材（２）が測定した血圧値が上昇傾向を示しているにもかかわらず、心拍数測定機能付きの浴槽（１）が測定した心拍数が所定の値以上を示す場合を危険状態として検知する。
【００４９】
又、該参考例となる健康状態検知方法は、血圧測定機能付きの手摺部材（２）が測定した血圧値が降下傾向を示しているにもかかわらず、心拍数測定機能付きの浴槽（１）が測定した心拍数が所定の値以下を示す場合を危険状態として検知する。
【００５０】
そして、本発明の実施の形態となる浴室ユニットは、請求項１に記載したように、血圧測定機能付きの手摺部材と天井に配設された動き検知センサーを設けた動き検知ユニットとを備えるので、検知精度を上げることができる。
【００５１】
又、該実施の形態の浴室ユニットにあっては、血圧測定機能付きの手摺部材の発信機と天井に配設された動き検知センサーを設けた動き検知ユニットの受信器間をワイヤレスで接続することができる。この場合、浴室内の電線や通信線の配線が不要となり、しかも漏電の危険も少なく取扱いが安全である。
【００５２】
本発明の参考例となる健康状態検知方法として、以下の内容に基づいて危険状態を検知する。
【００５３】
入浴者が浴槽（１）内に浸かった直後は、体表面の急激な温度変化で交換神経が興奮し、抹消血管が収縮する。それに伴って急激に血圧が上昇する。この時、正常な反応としては心拍数の減少が起こる。これに対して血管に障害のある場合、血圧の上昇に関係なく心拍数は一定の値をとり変化がない。即ち、血圧と心拍数との良好な相関関係が存在せず心拍数は所定の値以上を示す。このような状態においては、上記血圧測定機能付きの手摺部材（２）が測定した血圧値が上昇傾向を示しているにもかかわらず、心拍数測定機能付きの浴槽（１）が測定した心拍数が所定の値以上を示す場合を危険状態として検知する健康状態検知方法が有効に機能する。又、この時雰囲気温が低く湯温が高いと血圧上昇値は大きくなる傾向にある。
【００５４】
入浴者が浴槽（１）に浸かってしばらくした状態では、温熱効果により抹消血管が拡大し、血行が良くなり脳の酸素消費量が増加すると共に、血圧が減少する。この時血圧が降下したために起こる血液量不足を補う為に、正常な反応として心拍数が増加する。これに対して心臓に障害がある場合、心拍数は増加せず、虚血状態となる。虚血状態が続くと、意識不明、又は心停止を引起す。このような状態においては、上記血圧測定機能付きの手摺部材（２）が測定した血圧値が降下傾向を示しているにもかかわらず、心拍数測定機能付きの浴槽（１）が測定した心拍数が所定の値以下を示す場合を危険状態として検知する健康状態検知方法が有効に機能する。
【００５５】
又、この他にも入浴者が浴槽（１）内で立ち上がった時には、重力の影響で血液が体下部に移動する。すると、自律神経の働き（血管運動反射のコントロール）で血管が収縮し、脳への血液を確保しようとする。すると、ある程度の血液量を維持する為に血圧が少し上昇する。この時の正常な反応として、心拍数は微減若しくは横ばいとなる。ところが、自律神経の働きがうまくいかない場合、血圧を維持できなくなり意識消失を引起す。即ち、脳が虚血状態となるのである。
【００５６】
以上のように、一般的に血圧の増減に対して心拍数を変化させ体内バランスを保つように反応してはいるが、血圧の急激な変化はこのような心拍数の増減だけでは吸収できない時もある。例えば、血圧が急激に上昇した場合には脳出血が起こる。又、血圧が急激に低下した場合には虚血性心疾患（狭心症、心筋梗塞）脳梗塞等が起こる。特に発汗、脱水により血液濃度が高まった状態での血圧急低下はかなりの危険を伴う。
【００５７】
このように、入浴者の健康状態は、心拍数だけで把握するのは不完全なものとなる。むしろ入浴時事故が起こりやすいのは急激な血圧変動が原因であり、心臓血管障害、自律神経失調障害等何らかの障害をかかえる場合には血圧変化と心拍数のとの相関が必ずしも適正関係を構築せず、肉体に多大なダメージを与えることになる。このような現実を踏まえると、心拍数に加えて血圧変化を把握した方がより確実な事故防止につながるものといえる。
【００５８】
又、血圧変動の少ない入浴が大切となる。
【００５９】
又、危険状態を検知した際には音などによる警報を発生するようにしても良い。
【００６０】
このように、以上説明した健康状態検知方法によると、入浴者の健康状態を確実に把握することができる。即ち、血圧値と心拍数で健康状態を把握するので、確実なものとなる。
【００６１】
又、血圧が上昇するシーンにおいて、入浴者の健康状態を確実に把握することができる。例えば、浴槽（１）に浸かった直後は体表面の急激な温度変化で交換神経が興奮し抹消血管が収縮する。これに伴って血圧は急激に上昇する。正常な状態では、血圧の上昇に対応する為に心拍数を下げて血液の流れを調整する。この時、心拍数が減少することなく所定の値を上回る場合には危険状態とみることができる。このように、血圧値の上向きの変化と心拍数の測定値によって、入浴者の健康状態を検知することができる。
【００６２】
又、血圧が降下するシーンにおいて、入浴者の健康状態を確実に把握することができる。例えば、浴槽に浸かってしばらく経った時には、温熱効果により脳の酸素消費量は増加すると共に抹消血管が拡大し血圧が低下する。すると脳に送られる血液量の低下を補う為に心拍数が増加する。この時、心拍数が増加することなく所定の値を下回る場合には危険状態とみることができる。このように、血圧値の下向きの変化と心拍数の測定値によって、入浴者の健康状態を検知することができる。
【００６３】
又、動き検知センサーで入浴者の動きがある一定時間ないと判断されたときに、且つ浴槽に浸かっている人の血圧が、異常値の場合に危険状態と判断し、浴室外に発報して異常を知らせることができる。
【００６４】
又、浴室ユニットに入室した入浴者の健康状態を、血圧測定機能付きの手摺部材の発信機と天井に配設された動き検知センサーを設けた動き検知ユニットの受信器間をワイヤレスで接続することによって、簡単に接続することが可能となる。
【００６５】
【発明の効果】
上述の如く、請求項１記載の発明によれば、入浴者の血圧を簡単に測定することができ、この血圧値と動き検知センサーを設けた動き検知ユニットとを用いて異常を確実に検知することができる。
【００７１】
そして、請求項１記載の発明によれば、手摺本体上部に筒体を設けているので、手摺本体を握るついでに手軽に筒体の中空部に指を挿入することができる。又、筒体は、手摺本体よりも充分に短いので特別に邪魔になることがない。
【図面の簡単な説明】
【図１】  本発明の参考例となる浴室ユニット及びそれを用いた健康状態検知方法を示す説明図である。
【図２】  該参考例となる浴室ユニット及びそれを用いた健康状態検知方法を示す説明図である。
【図３】  該参考例となる浴室ユニットの血圧測定機能付きの手摺部材を示す断面図である。
【図４】  該参考例となる浴室ユニットの筒体を示す斜視図である。
【図５】  該参考例となる浴室ユニットの固定具を示す斜視図である。
【図６】  該参考例となる浴室ユニットの手摺本体を示す斜視図である。
【図７】  本発明の一実施の形態である浴室ユニット及びそれを用いた健康状態検知方法を示す説明図である。
【図８】  該実施の形態である浴室ユニットの血圧測定機能付きの手摺部材を示す断面図である。
【図９】  該実施の形態である浴室ユニットの血圧測定機能付きの手摺部材を示す斜視図である。
【図１０】  本発明の従来の技術である浴室ユニットを示す斜視図である。
【符号の説明】
１    浴槽
２    手摺部材
３    手摺本体
４    筒体
【図１】
0003951817.tif 000002
【図２】
0003951817.tif 000003
【図３】
0003951817.tif 000004
【図４】
0003951817.tif 000005
【図５】
0003951817.tif 000006
【図６】
0003951817.tif 000007
【図７】
0003951817.tif 000008
【図８】
0003951817.tif 000009
【図９】
0003951817.tif 000010
【図１０】
0003951817.tif 000011